(57)【特許請求の範囲】
【請求項１】
軸線方向に摺動運動するようにハブ（１４）に取付られた該ディスク（１６）、該ディスクの反対両側に配置された摩擦材料のパッド（１８）、および作動機構（２６）であって前記パッドの一つを動かして前記ディスクに接触させるため、また前記ハブ上のディスクを動かして両方の前記パッドがそこに制動力を加えるように他のパッドを前記ディスクに接触させるため作動し得る前記作動機構（２６）を有するディスクブレーキ（１０）であって、前記作動機構が前記ディスク（１６）の一側に設置されかつハブ取り付け部に対して固定された支持体（２８）、該支持体によって画定されたシリンダ（３０）、および該シリンダ内の該ピストン（３２）を有し、該ピストンは、加圧流体が前記シリンダ内に導入されるとき、前記パッド（１８）の第１のものを前記ディスク（１６）に向けて付勢するために移動可能であり、前記作動機構（２６）はまた前記支持体（２８）から前記ディスク（１６）の外端を通って突出しかつ前記パッド（１８）の第２のものがその上に取付けられる接触板（２４）を支持する案内部材（３６）を有し、前記第１パッド（１８）が案内部材（３６）に摺動運動するように取付けられ、前記作動機構（２６）の案内部材（３６）が複数のボルト（４４）によって該支持体（２８）に取付けられる前記ディスクブレーキ（１０）において、
前記複数のボルト（４４）が前記案内部材（３６）の対応する孔（４８）を通って前記支持体（２８）から前記接触板（２４）まで延在し、使用中に前記案内部材に加えられる曲げおよび剪断力が前記ボルトによって支持されるよう前記ボルト及び対応する孔を配置することを特徴とするディスクブレーキ。
【請求項２】
前記ボルト（４４）が前記接触板（２４）または前記支持体（２８）のいずれかのねじ孔（５０）に受け入れられることを特徴とする、請求項１に記載されたディスクブレーキ。
【発明の詳細な説明】
本発明はディスクブレーキ、たとえば自動車車輪の制動に使用するのに適したディスクブレーキに関するものである。
通常の自動車用ディスクブレーキは、ディスク、ディスクの反対両側に配置された摩擦材料のパッド、および作動機構であってパッドの一つを動かしてディスクに接触させるため、また作動機構とディスクとの間に相対運動を発生させて両方のパッドが制動力をそこに加えるように他のパッドをディスクに接触させるため作動し得る前記作動機構を有する。多くの場合、ディスクはハブに固定的に取付けられ前記相対運動はディスクの軸線方向に摺動し得るように取付けられた作動機構の運動によって実施される。作動機構をハブに対して固定することおよびディスクをハブ上で軸線方向に摺動することも可能である。後者の場合、ハブ上で摺動可能な二つまたはそれ以上のディスク、および作動機構がすべてのパッドをディスクに接触し得るようにディスクの間に配置された適当数のパッドを設けることもできる。
上記のような通常のディスクブレーキにおいて、作動機構はディスクの一側に設置された支持体、支持体によって画定されたシリンダおよびシリンダ内のピストンを有する。ピストンは、加圧流体がシリンダ内に導入されるとき、前記パッドの第１のものをディスクに向けて付勢するように移動可能である。作動機構はまたディスクを通って支持体から突出し前記パッドの第２のものがその上に支持される接触板を支持する案内部材を有する。前記接触板は案内部材に取付けられるかまたはその一部とすることができる。前記第１パッドは案内部材上で摺動運動するように取付けられている。
上記のような通常のディスクブレーキにおいて、作動機構の案内部材は、制動が加えられるとき、大きな曲げおよび剪断反力をうける。曲げ力はパッドとディスクとの間の圧力から生ずる。剪断力は円周方向力で、パッドとディスクとの間の摩擦接触によって発生してそれは案内部材から支持体へと伝達される。このことは、案内部材が高価な高張力材料から作られることを意味し、またそれがブレーキパッドに対する正確な案内面を備えた、比較的複雑な形状を有するため、このことは案内部材を製造するのを困難かつ高価にしている。
本発明はディスク、ディスクの反対両側に配置された摩擦材料のパッド、および作動機構であってパッドの一つを動かしてディスクに接触させるため、また作動機構とディスクの間に相対運動を発生させて両方のパッドがそこに制動力を加えるように他のパッドをディスクに接触させるように作動し得る前記作動機構を有するディスクブレーキであって、作動機構がディスクの一側に設置された支持体、支持体によって画定されたシリンダ、およびシリンダ内のピストンを有し、ピストンは、加圧流体がシリンダ内に導入されるとき、前記パッドの第１のものをディスクに向けて付勢するために移動可能であり、作動機構はまた支持体からディスクを通って突出しかつ前記パッドの第２のものがその上に取付けられる接触板を支持する案内部材を有し、前記第１パッドが案内部材に摺動運動すべく取付けられる前記ディスクブレーキにおいて、作動機構の案内部材が案内部材の孔を通って支持体から前記接触板まで延在する複数のボルトによってその支持体に取付けられるディスクブレーキを提供するものである。
本発明によるディスクブレーキにおいて、案内部材に加えられる曲げおよび剪断力は、案内部材自体が機械加工するのが一層安価かつ一層容易な強度の小さい材料から製造可能であるように大きな負荷を支持する能力を容易かつ安価に得ることができる、ボルトによって支持される。
好適には、ボルトは接触板または支持体のいずれか一方のねじ孔にうけ入れられる。このことはナットに対する必要性を回避する。
下記に、添付図面を参照して読むべく、本発明の例示であるディスクブレーキを詳細に説明する。
図面は例示的ディスクブレーキの展開図である。
例示的ディスクブレーキ１０は、自動車の懸架リンク１２に取付けられる。懸架リンク１２はその上で回転するように取付けられたハブ１４を有する。車輪（図示せず）が通常の態様でハブに取り付けられる。ブレーキ１０はまた軸線方向に摺動運動するようにハブ１４に取り付けられた二つのディスク１６を有する。特に、ハブ１４の外面は軸線方向スプラインを形成された三つの円周方向に離隔された表面部分を有し、ディスク１６はディスクがハブ上で軸線方向に摺動できるがそれとともに回転できるようにこれらのスプラインと噛合う歯を形成されている。ハブ１４はねじ１９によってそこに固定された三つの板ばね１７を有する。板ばね１７はハブのスプライン間のハブの表面部分に配置され、かつディスク１６を心合わせしかつこれらがハブ上でがたつくのを阻止するように働く。
ブレーキ１０はまた各ディスク１６の反対両側に配置された摩擦材料のパッド１８を有する。特に、摩擦パッド１８の一つはディスク１６の第１のものの一側の裏当て板２０上に取付けられ、パッド１８の二つは第１および第２のディスク１６の間にある裏当て板２２の反対両側に取付けられ、パッド１８の一つは裏当て板２２に対して第２ディスク１６の反対側において接触板２４に取付けられている。
ブレーキ１０はまた裏当て板２０上のパッド１８を動かして第１ディスク１６と接触させるように作動し得る作動機構２６を有する。機構２６はまた、機構２６とディスク１６の間に相対運動を発生すべく作用して裏当て板２２に取付けられた他方のパッド１８および接触板２４をディスクと接触させ、その結果、パッドがすべて制動力をディスクに加える。とくに裏当て板２０上のパッド１８が第１ディスク１６と接触する運動は、第１ディスク１６をハブ１４上で摺動して裏当て板２２上のパッド１８の一つと接触させ、引続く運動は裏当て板２２上の他のパッド１８を第２ディスク１６と接触させ、第２ディスクはそれ自体が接触板２４上のパッド１８と接触するまでハブ１４上で摺動する。
作動機構２６は、第１ディスク１６の一側に設置された支持体２８を有する。支持体２８はリンク１２の一部によって形成されている。作動機構２６はまた、支持体２８によって画定されたシリンダ３０、およびシリンダ内のピストン３２を有する。ピストン３２は、圧力流体がポート３４を通ってシリンダ３０内に導入されるとき、シリンダから出現しそれにより裏当て板２０およびその上に取付けられたパッド１８を第１ディスク１６に付勢するために移動可能である。
作動機構２６はまた、ディスク１６を通って支持体２８から突出する案内部材３６を有する。案内部材３６は接触板２４を支持している。裏当て板２０および２２およびその上に取付けられたパッドは、案内部材３６上で摺動運動するように取付けられている。特に、案内部材３６は板２０および２２がその上を摺動する二つの円弧状側面３８を有する。板２０および２２は上部鉤部分４０を有し、それらは板２０および２２が部材３６によって支持され且つ部材３６に沿って摺動することができるように表面３８に鉤止する。板ばね４２が部材３６の下側と板２０および２２との間に設けられ、ばね４２はがたつきを阻止する。
作動機構２６の案内部材３６は二つの高張力ボルト４４によって支持体２８上に取付けられ、ボルト４４は接触板２４のねじ孔５０に進入するため支持体２８の孔４６および案内部材３６の孔４８を貫通している。
作動機構２６において、加圧作動液のシリンダ３０への導入は前記のようにピストン３２がパッド１８を付勢してディスク１６と接触せしめる。この接触が達成されたとき、各パッド１８とディスク１６との間の制動力は、裏当て板２０および２２および接触板２４を介して部材３６に伝達される。しかしながら、それにより案内部材３６に加えられた大きい曲げおよび剪断力はボルト４４によって支持される。
0004210333.tif 000002